(57)【要約】 【課題】  湿度変化に原因して膨張、収縮を起こしても、床材間の隙間が目立たない新規な木質床材、この床材を使用した床構造及び床材敷設方法を提供する。【解決手段】  接続すべき端面に実はぎ用の雄実１または雌実２を有する木質床材１０であって、雌実上方端面２１の上部に上向き傾斜面２６を設けてあると共に、雄実上方端面１１の上端部に前記傾斜面２６に当接する当接部１６を設けてあり、前記雄実上方端面１１が雄実上水平面１３と前記当接部１６の下方面１７を曲面で繋いである。【選択図】    図１
2005282286.tif 000002
【特許請求の範囲】
【請求項１】
接続すべき端面に実はぎ用の雄実または雌実を有する木質床材であって、雌実上方端面の上部に上向き傾斜面を設けてあると共に、雄実上方端面の上端部に前記傾斜面に当接する当接部を設けてあり、前記雄実上方端面が雄実上水平面と前記当接部の下方面を曲面で繋いでなる木質床材。
【請求項２】
前記雄実の突出寸法と雌実の窪み寸法を、雄実の突出寸法より雌実の窪み寸法を僅かに大きくしてある請求項１に記載の木質床材。
【請求項３】
前記当接部の上端部を面取りしてある請求項１又は２に記載の木質床材。
【請求項４】
請求項１〜３に記載の何れかの木質床材を並列し、隣れる木質床材の雌実に隣れる木質床材の雄実を嵌め合せて敷設する床構造。
【請求項５】
請求項１〜３に記載の何れかの木質床材を並列し、隣れる木質床材の雌実に隣れる木質床材の雄実を嵌め合せて敷設する床材敷設方法。
【請求項６】
隣合う木質床材の雌実と雄実を接着剤で接着して接続し、所定間隔で隣合う木質床材の雌実と雄実を接着しないで接続する未接着接続部を設けた請求項５に記載の床材敷設方法。
【請求項７】
木質床材を敷設して乾燥させた後、前記未接着接続部の傾斜面と当接部の間に埋木を埋設する請求項６に記載の床材敷設方法。
【請求項８】
前記埋木を埋設した後、埋木の上部を木質床材の上面と面一に切断する請求項７に記載の床材敷設方法。
【発明の詳細な説明】
【技術分野】
【０００１】
本発明は、ひのき、杉、松等の無垢の木材を用いた木質床材、この床材を使用した床構造及び床材敷設方法に関する。
【背景技術】
【０００２】
従来、木質板を使用し、この木質板の片側に実はぎ用の雄実を設け、反対側に雌実を設けた木質床材は公知である（例えば、特許文献１参照）。また、上記木質床材の複数を平行に並べて隣れる床材の雄実を隣れる床材の雌実に嵌め合せて、敷設する床構造も公知である（例えば、特許文献１参照）。
【０００３】
また、踏み鳴りを抑えた床材として、木質床材本体の下面に緩衝部材を備えかつ接合すべき端面に実はぎ用雄実又は雌実を有し、雄実又は雌実の上方端面が傾斜面となされており、雄実側の上方端面が下向き傾斜面に、雌実側の上方端面が下向き傾斜面の傾斜角度より大きい角度の上向き傾斜面に形成され、隣れる床材との接合時に、両傾斜面の上縁同士が線接触するようになされている床材も公知である（例えば、特許文献２参照）。
【特許文献１】特開平１０−１８３９６４号公報
【特許文献２】特許第３１３４１４２号公報
【発明の開示】
【発明が解決しようとする課題】
【０００４】
しかし、上記公知の無垢の木質床材は、空気中の湿気に影響されて大きい膨張、収縮を起こし、乾燥度が高い場合には、各木質床材が収縮し、隣れる床材間に隙間が生じ、特に特許文献１記載の床材は、雄実上方端面及び雌実上方端面を垂直面としてあるから、この隙間が目立ってしまうという課題があり、逆に湿度が高くなると、各木質床材が膨張して、床材が浮き上がるという課題がある。さらにパネル化した床材の場合、パネル間の隙間がさらに大きくなるという課題がある。
【０００５】
また、特許文献２に記載の床材は、雄実の上方端面が下向き傾斜面に形成され、雄実の上水平面と上方端面が鋭角に交差するため、床材に歩行荷重等の外力が加わったときに、雄実の上水平面と上方端面の交差部分に応力が集中して亀裂が生じるという課題がある。
本発明は、上記の点に鑑み、湿度変化に原因して膨張、収縮を起こしても、床材間の隙間が目立たない新規な木質床材、この床材を使用した床構造及び床材敷設方法を提供するものである。
【課題を解決するための手段】
【０００６】
本発明は、上記課題を解決するために、接続すべき端面に実はぎ用の雄実または雌実を有する木質床材であって、雌実上方端面の上部に上向き傾斜面を設けてあると共に、雄実上方端面の上端部に前記傾斜面に当接する当接部を設けてあり、前記雄実上方端面が雄実上水平面と前記当接部の下方面を曲面で繋いでなる木質床材を提供するものである。
【０００７】
また、本発明は、前記雄実の突出寸法と雌実の窪み寸法を、雄実の突出寸法より雌実の窪み寸法を僅かに大きくしてある請求項１に記載の木質床材を提供するものである。
【０００８】
また、本発明は、前記当接部の上端部を面取りしてある請求項１又は２に記載の木質床材を提供するものである。
【０００９】
また、本発明は、請求項１〜３に記載の何れかの木質床材を並列し、隣れる木質床材の雌実に隣れる木質床材の雄実を嵌め合せて敷設する床構造を提供するものである。
【００１０】
また、本発明は、請求項１〜３に記載の何れかの木質床材を並列し、隣れる木質床材の雌実に隣れる木質床材の雄実を嵌め合せて敷設する床材敷設方法を提供するものである。
【００１１】
また、本発明は、隣合う木質床材の雌実と雄実を接着剤で接着して接続し、所定間隔で隣合う木質床材の雌実と雄実を接着しないで接続する未接着接続部を設けた請求項５に記載の床材敷設方法を提供するものである。
【００１２】
また、本発明は、木質床材を敷設して乾燥させた後、前記未接着接続部の傾斜面と当接部の間に埋木を埋設する請求項６に記載の床材敷設方法を提供するものである。
【００１３】
また、本発明は、前記埋木を埋設した後、埋木の上部を木質床材の上面と面一に切断する請求項７に記載の床材敷設方法を提供するものである。
【発明の効果】
【００１４】
本発明に係る木質床材によれば、接続すべき端面に実はぎ用の雄実または雌実を有する木質床材であって、雌実上方端面の上部に上向き傾斜面を設けてあると共に、雄実上方端面の上端部に前記傾斜面に当接する当接部を設けてあり、前記雄実上方端面が雄実上水平面と前記当接部の下方面を曲面で繋いでなる構成を有することにより、雄実上水平面と当接部の下方面の間にかかる応力を曲面によって分散させるから、当接部が隣れる木質床材の傾斜面に沿って上下動しても雄実上方端面に亀裂が入ることなく、スプリングとして作用することができる。従って、湿度変化に原因して木質床材が膨張、収縮を起こしても、隣れる木質床材の傾斜面と当接部のスプリング作用によって膨張又は収縮を吸収して床材間の隙間を目立たなくすることができる効果がある。
【００１５】
また、本発明は、前記雄実の突出寸法と雌実の窪み寸法を、雄実の突出寸法より雌実の窪み寸法を僅かに大きくしてある請求項１に記載の構成を有することにより、雄実の突出寸法と雌実の窪み寸法との差により、これらの嵌め合せに余裕が生じ、木質床材の大きい膨張にも対応することができる効果がある。
【００１６】
また、本発明は、前記当接部の上端部を面取りしてある請求項１又は２に記載の構成を有することにより、高湿度による隣れる木質床材の膨張によって、当接部が傾斜面に沿って迫り上がっても、当接部の上端部が床材の上端面から突き出してささくれることがないという効果がある。
【００１７】
また、本発明に係る床構造によれば、請求項１〜３に記載の何れかの木質床材を並列し、隣れる木質床材の雌実に隣れる木質床材の雄実を嵌め合せて敷設する構成を有することにより、木質床材間の隙間が目立たない高級感のある床を得ることができる効果がある。
【００１８】
また、本発明に係る床材敷設方法によれば、請求項１〜３に記載の何れかの木質床材を並列し、隣れる木質床材の雌実に隣れる木質床材の雄実を嵌め合せて敷設する構成を有することにより、木質床材間の隙間が目立たない高級感のある床を得ることができる効果がある。
【００１９】
また、本発明は、隣合う木質床材の雌実と雄実を接着剤で接着して接続し、所定間隔で隣合う木質床材の雌実と雄実を接着しないで接続する未接着接続部を設けた請求項５に記載の構成を有することにより、例えば、木質床材を敷設後、乾燥させて各木質床材が収縮したときに、雌実と雄実を接着剤で接着した木質床材間には隙間が生じることなく、未接着接続部にのみ隙間を生じるから、特定箇所にのみ隙間を生じさせて容易に隙間を塞ぐことができる効果がある。
【００２０】
また、本発明は、木質床材を敷設して乾燥させた後、前記未接着接続部の傾斜面と当接部の間に埋木を埋設する請求項６に記載の構成を有することにより、未接着接続部の傾斜面と当接部の間に生じた隙間に埋木を埋設するという簡単な作業によって隙間を塞ぐことができる効果がある。
【００２１】
また、本発明は、前記埋木を埋設した後、埋木の上部を木質床材の上面と面一に切断する請求項７に記載の構成を有することにより、埋木を埋設した部分と木質床材の上面とを容易に面一にすることができ、木質床材間の隙間が目立たない高級感のある床を得ることができる効果がある。
【発明を実施するための最良の形態】
【００２２】
以下図面に示した実施例により、本発明木質床材の詳細を説明する。図中符号１０が無垢の木材からなる木質床材で、公知の床材同様に接続すべき端面に実はぎ用の雄実１と雌実２を有する。
本発明に係る木質床材１０は、雌実上方端面２１の上部に上向き傾斜面２６を設けてあると共に、雄実上方端面１１の上端部に前記傾斜面２６に当接する当接部１６を設けてあり、前記雄実上方端面１１が雄実上水平面１３と前記当接部１６の下方面１７を曲面で繋いである。
【実施例１】
【００２３】
図１乃至図４に示す実施例において、木質床材１０は、ひのき、杉、松等の無垢の木材をからなり、その雄実１側に雄実上方端面１１と、雄実下方端面１２とを有し、さらに雄実１の上下水平面１３，１４と先端垂直面１５を有する。
一方、雌実２側に雌実上方端面２１と、雌実下方端面２２とを有し、さらに雌実２の上下水平面２３，２４と内奥垂直面２５を有する。
【００２４】
本発明では、雌実上方端面２１の略中央から上部側に、雌実上方端面２１に対して上向きに概略４５度傾斜した傾斜面２６を設けてある。傾斜面２６は、隣れる木質床材１０の当接部１６が当接する雌実上方端面２１の上部に設けてあればよく、雌実上方端面２１の全部を傾斜面にすることも可能である。また、傾斜面２６の雌実上方端面２１に対する傾斜角は、木質床材１０の膨張又は収縮を吸収し易いことから大きい方が好ましいが、隣れる木質床材１０の当接部１６の強度を保つことができるように３０°〜６０°に設けることが好ましい。
【００２５】
また、雄実上方端面１１の上端部には、上面が木質床材１０の上面と同一面で、且つ先端部が隣れる木質床材１０の傾斜面２６に当接する当接部１６を設けてある。当接部１６の下方面１７は、当接部１６が隣れる木質床材１０の傾斜面２６に当接した状態で、傾斜面２６との間に間隙を生じるように形成してある。雄実上方端面１１は、雄実１の上水平面１３と当接部１６の下方面１７を滑らかに繋ぐ曲面で構成してあると共に、隣れる木質床材１０の雌実上方端面２１と干渉しないように設けてある。雄実上方端面１１は、一定の曲率で雄実１の上水平面１３と当接部１６の下方面１７を繋ぐ他、滑らかに曲率を変えた複合曲面で繋ぐことも可能である。
【００２６】
また、図示の実施例では、当接部１６の上端部を面取り１８してある。面取り１８は、概略４５度に傾斜させて、隣れる木質床材１０の傾斜面２６とでＶ字状溝を形成してある。
さらに、雄実１の突出寸法Ｄと雌実２の窪み寸法ｄとの関係を、雌実２の窪み寸法ｄの方が雄実１の突出寸法Ｄより僅かに大きくしてあり、好ましくはその寸法差を２〜３ｍｍ程度としてある。
【００２７】
上記の通りの構成からなる本発明木質床材を根太上に敷設して本発明床構造を構成するには次のようにして施工する。
先ず、上記の木質床材１０を並列し、隣れる木質床材１０の雌実２に隣れる木質床材１０の雄実１を嵌め合せ、順次隣れる木質床材を敷設して床構造を構成する。このとき、雄実１の上下水平面１３，１４、又は、雌実２の上下水平面２３，２４に接着剤３０を塗布して、隣合う木質床材１０，１０の雌実２と雄実１を接着剤３０で接着して接続する。
また、図３及び図４に示すように、所定間隔（例えば、１ｍ間隔）で隣合う木質床材１０，１０の雌実２と雄実１を接着しないで、単に嵌め合せて接続する未接着接続部３２を設ける。
【００２８】
このようにして構成した床構造は、当接部１６を傾斜面２６に当接させてあるから、隣れる木質床材１０，１０間に隙間を生じないように密に敷設できるとともに、隙間が生じたとしても傾斜面であるから垂直面のように目立たない。そして、雄実上方端面１１は、雌実上方端面２１と干渉しないように設けてあるから、隣れる木質床材間を密接して敷設してあっても、雄実上方端面１１と雌実上方端面２１の間に隙間が残されており、高湿度になって木質床材が膨張しても、この膨張を受容できる。
【００２９】
また、上記雄実上方端面１１が、雄実上水平面１３と当接部１６の下方面１７を曲面で繋いでなり、雄実上水平面１３と当接部１６の下方面１７の間にかかる応力を分散させることができるようにしてある。そして、上記雄実１の突出寸法Ｄと雌実２の窪み寸法ｄとの関係を、雌実２の窪み寸法ｄを雄実１の突出寸法Ｄより僅かに大きくしたことにより、木質床材の湿度変化による膨張、収縮作動を円滑に受け入れ、木質床材の大きい膨張をも受け入れ、特に、当接部１６と傾斜面２６による接合と相俟って良好な床構造を得られる。
さらに、当接部１６の上端部を面取り１８してあるから、過度の膨張によっても、この上端部が突き出してささくれることもない。
【００３０】
そして、特に、本発明木質床材を使用して次のような敷設工法で床構造を敷設することにより、きわめて好ましい床構造が得られる。
即ち、上述のように、所定間隔で隣合う木質床材１０，１０の雌実２と雄実１を接着しない未接着接続部３２を設けて木質床材１０を敷設して乾燥させる。乾燥により各木質床材１０は収縮し、接着剤３０で互いに接着した木質床材は一体のパネルとして収縮するから、未接着接続部３２の傾斜面２６と当接部１６の間にのみ隙間を生じる。次に、図３に示すように、この隙間に埋木３１を傾斜面２６に沿って埋設し、図４に示すように、埋木３１の上部を木質床材１０の上面と面一に切断する。埋木３１を傾斜面２６に沿って埋設することにより、埋木３１と当接部１６の面取り１８がＶ溝を形成し、隙間もなく木目も変化しなく好ましい床構造が得られる。
【図面の簡単な説明】
【００３１】
【図１】本発明木質床材の一実施例の連続状態を示す一部切欠正面図。
【図２】本発明木質床材の一実施例の要部を示す一部切欠正面図。
【図３】本発明木質床材の敷設作業時の状況を説明する一部切欠正面図。
【図４】本発明木質床材の敷設作業時の状況を説明する一部切欠正面図。
【符号の説明】
【００３２】
１  雄実
２  雌実
１０  木質床材
１１  雄実上方端面    
１２  雄実下方端面
１３  上水平面
１４  下水平面
１５  先端垂直面
１６  当接部
１７  下方面
１８  面取り
２１  雌実上方端面
２２  雌実下方端面
２３  上水平面
２４  下水平面
２５  内奥垂直面
２６  傾斜面
３０  接着剤
３１  埋木
３２  未接着接続部
【図１】
2005282286.tif 000003
【図２】
2005282286.tif 000004
【図３】
2005282286.tif 000005
【図４】
2005282286.tif 000006